(57)【特許請求の範囲】
【請求項１】
スプレー式の流動体取り出し口を上端に備えてなる容器と、この容器の内部に入れられ、内部に液状化粧品などの流動体が収納される合成樹脂からなるスタンドパックの形態を呈する袋とを備え、前記袋の底部を未延伸ナイロンフィルムと未延伸ポリオレフィン系フィルムを積層してなるラミネートフィルムで構成するとともに前記未延伸ポリオレフィン系フィルムを袋の内側に位置させ、この袋の底部に前記流動体取り出し口に繋がり容器本体の底部で上方に突出するように設けられたチューブを突き刺すように構成したことを特徴とする流動体取り出し装置。
【発明の詳細な説明】
【０００１】
【産業上の利用分野】
本発明は、液状化粧品などの流動体を収納する袋をセットして袋から流動体を取り出すための流動体取り出し装置に関するものである。
【０００２】
【従来の技術】
従来から家庭などで使用される液状の流動体などは例えば合成樹脂製の容器に詰められて販売されているが、容器内の流動体がなくなると合成樹脂製袋の中に入った詰め替え用流動体を購入し、この詰め替え用流動体を空の容器内に詰め替えていた。
【０００３】
しかし、上記のように詰め替え用流動体を空の容器内に詰め替えるとき、合成樹脂製の柔軟な袋を手に持って詰め替え作業を行なっており、袋が柔軟なことから袋の口部の位置が不安定であり、容器の口部と袋の口部を合わせて詰め替え作業を行なうのに手間がかかり、油断をすると容器の外に流動体がこぼれ出るという問題があった。
【０００４】
この問題を解決するために、詰め替え用流動体が入った合成樹脂製袋を空の容器内に入れ、容器の上端に備えてなる流動体取り出し部となるノズルから下方に突出する吸い込み用チューブを前記袋に突き刺し、前記容器を傾けることにより袋内の流動体をノズルから取り出すように構成したものが知られている。この場合、前記吸い込み用チューブが突き刺される部分のみならず袋全体が延伸ナイロンフイルムと未延伸ポリオレフィン系フイルムを積層してなるラミネートフイルムで構成され、吸い込み用チューブを袋に突き刺すとき、その突き刺すときの力によって吸い込み用チューブの先端で延伸ナイロンフイルムが裂ける方向に力が掛かり、それにより内側の未延伸ポリオレフィン系フイルムにも裂ける方向に力が掛かって、吸い込み用チューブが貫通した袋の孔部に裂け目が生じて、前記容器を傾けたときこの裂け目より袋内部の流動体が容器内で漏れ、この漏れた流動体により容器内が汚れ、さらには容器外にも流動体が漏れるという問題があった。
【０００５】
【発明が解決しようとする課題】
本発明はこのような課題を解決するもので、チューブを袋に突き刺しても袋の孔部に裂け目が生じることなく、袋内部の流動体が容器内で漏れることがないようにすることを目的とするものである。
【０００６】
【課題を解決するための手段】
この課題を解決するために本発明は、スプレー式の流動体取り出し口を上端に備えてなる容器と、この容器の内部に入れられ、内部に液状化粧品などの流動体が収納される合成樹脂からなるスタンドパックの形態を呈する袋とを備え、前記袋の底部を未延伸ナイロンフィルムと未延伸ポリオレフィン系フィルムを積層してなるラミネートフィルムで構成するとともに前記未延伸ポリオレフィン系フィルムを袋の内側に位置させ、この袋の底部に前記流動体取り出し口に繋がり容器本体の底部で上方に突出するように設けられたチューブを突き刺すように構成したものである。
【０００７】
【作用】
この構成により、流動体取り出し口に繋がるチューブの突き刺し部となる袋の部分は未延伸ナイロンフイルムと未延伸ポリオレフィン系フイルムを積層してなるラミネートフイルムで構成されていることから、チューブが袋に突き刺さったときに袋が裂けることなく突き刺し部における孔部がチューブに密着し、袋内部の流動体が容器内で漏れることがない。
【０００８】
【実施例】
以下、本発明の実施例について、図面に基づいて説明する。
先ず、図１〜図４に示す第１実施例について説明すると、１は液状化粧品などの流動体を収納する合成樹脂製の袋であり、少なくとも対向する両側の２辺にヒートシールによる封止部２、２を備えており、下端に膨らんだ底部３を有してスタンドパックの形態を呈している。ところで前記袋１の材料としては、底部３以外の部分は延伸されたナイロンフイルムと未延伸ポリオレフィン系フイルムを積層してなるラミネートフイルムが用いられ、底部３は図２に示すように未延伸ナイロンフイルム３ａと未延伸ポリオレフィン系フイルム３ｂを積層してなるラミネートフイルムが用いられる。そして底部３以外の部分および底部３の未延伸ポリオレフィン系フイルムを内側に位置させ、この未延伸ポリオレフィン系フイルムをヒートシールにより融着させてスタンドパックの形態の袋１を形作っている。
【０００９】
４は前記液状化粧品などの流動体を収納する袋１を底部３が上端となるように上下逆さの状態で入れる上端が開口する縦長の合成樹脂製の容器本体で、この容器本体４の上端開口部は容器本体４と同様の合成樹脂製の蓋体５が嵌合して閉じられるようになっている。前記蓋体５には流動体取り出し部となるスプレー式の流動体取り出し部材６が上方に突出するように装着され、この流動体取り出し部材６から下方に突出するチューブ７の下端が容器本体４に入れられた袋１の上端に位置する底部３に突き刺さるようになっている。前記流動体取り出し部材６は上端の押し下げ部８を下動および上昇させることにより前記チューブ７より吸い上げられた袋１内部の流動体を押し下げ部８の側面に形成された小孔９から霧状あるいは泡状に吐出させるものである。なお、流動体取り出し部材６ならびにチューブ７は中密度ポリエチレンやポリプロピレンなどで硬く作られている。
【００１０】
ところで、前記チューブ７は先端が斜めにカットされて尖っており、袋１の底部３が未延伸ナイロンフイルム３ａと未延伸ポリオレフィン系フイルム３ｂを積層してなるラミネートフイルムを材料として作られていることからチューブ７が袋１の底部３に突き刺さったときに袋１の底部３が裂けることなく突き刺し部における孔部がチューブ７に密着するようになっている。
【００１１】
なお、前記袋１が容器本体４内に入れられるとき、袋１を上下逆さにした状態で内部の流動体が中央に寄って上端に位置する袋１の底部３が平たく張った状態となるように袋１の下端部および両側部を折り曲げて袋１を絞っており、袋１が容器本体４内に入れられたときこの状態を保持できるように容器本体４の内部の大きさが予め設定されている。
【００１２】
次に上記構成における使用方法について説明すると、まず例えば家庭で液状化粧品などの流動体を収納する袋１を上下逆にして容器本体４の中にセットする。その後、袋１の底部３にチューブ７を突き刺して容器本体４の上端に蓋体５を取り付ける。その状態において、流動体取り出し部材６の上端の押し下げ部８を下動および上昇させることにより前記チューブ７より吸い上げられた袋１内部の流動体は前記小孔９から霧状あるいは泡状に取り出される。
【００１３】
前述のように袋１は底部３が未延伸ナイロンフイルム３ａと未延伸ポリオレフィン系フイルム３ｂを積層してなるラミネートフイルムを材料として作られていることからチューブ７が袋１の底部３に突き刺さったときに袋１の底部３が裂けることなくチューブ７に密着し、仮に容器本体４が倒れても袋１内部の流動体が容器本体４内で漏れることがない。
【００１４】
ところで、容器本体４は透明あるいは不透明であっても良く、透明であれば容器４の外部から袋１内の流動体の残量を確認できる。また、図３において二点鎖線で示すように容器本体４の下端部近傍に窓部１０を鉛直方向に設けておいても袋１内の流動体の残量を確認できる。さらに、前記容器本体４や流動体取り出し部材６の構成は図面に示すものに限定されるものではない。
【００１５】
なお、前記容器本体４に入れて取り出される流動体としては液状化粧品などの流動体の他、消毒液あるいは油、醤油などの液状調味料や、牛乳、ジュースなどでも良い。
【００１６】
次に、図５〜図７に示す第２実施例について説明すると、この実施例は容器本体４の内部に袋１を底部３が下端となるように入れ、容器本体４の底部中央に上方に突出するように設けられたチューブ７ａを袋１の底部３に突き刺すように構成したものである。
【００１７】
さらに詳しくは、蓋体５に設けたスプレー式の流動体取り出し部材６に低密度ポリエチレンなどからなる柔らかいチューブ７ｂを介して中密度ポリエチレンなどからなる硬いチューブ７ａが繋がれ、このチューブ７ａが容器本体４の底部中央に上方に突出するように設けられている。チューブ７ｂは容器本体４の内面に沿って配設され、容器本体４に対する袋１の出し入れの邪魔にならないようになっている。また、蓋体５は容器本体４の上端に対し、ヒンジ１１により枢結され、開閉自在となっている。
【００１８】
従って、この第２実施例によれば、容器本体４の内部に袋１を未延伸ナイロンフイルム３ａと未延伸ポリオレフィン系フイルム３ｂの２層からなるラミネートフイルムによって構成された底部３が下端となるように入れ、そのとき容器本体４の底部中央に設けられたチューブ７ａに対し袋１の底部３を押し付けることによってチューブ７ａを袋１の底部３に突き刺し、その状態で容器本体４の上端に蓋体５を被せることによって使用可能な状態となり、流動体取り出し部材６の上端の押し下げ部８を下動および上昇させることにより前記チューブ７ａより吸い上げられた袋１内部の流動体は前記小孔９から霧状あるいは泡状に取り出される。
【００１９】
なお、前記２つの実施例における流動体取り出し部材６は、上端の押し下げ部８を下動および上昇させることにより作動するようになっているが、把持部を握ることにより作動するガン型式の流動体取り出し部材であっても良い。
【００２０】
さらに、前記２つの実施例では袋１の底部３を未延伸ナイロンフイルム３ａと未延伸ポリオレフィン系フイルム３ｂの２層からなるラミネートフイルムによって構成してあるが、未延伸ナイロンフイルム３ａと未延伸ポリオレフィン系フイルム３ｂの間に別のフイルムを介在させて積層してあっても良く、また未延伸ナイロンフイルム３ａの外側に別のフイルムを積層してあっても良い。
【００２１】
【発明の効果】
以上のように本発明によれば、流動体取り出し口に繋がるチューブの突き刺し部となる袋の部分は未延伸ナイロンフイルムと未延伸ポリオレフィン系フイルムを積層してなるラミネートフイルムで構成されていることから、チューブが袋に突き刺さったときに袋が裂けることなく突き刺し部における孔部がチューブに密着し、袋内部の流動体が容器内で漏れることがない。
【図面の簡単な説明】
【図１】本発明の第１実施例における袋と容器本体と蓋体との分解斜視図である。
【図２】同袋の底部の拡大断面図である。
【図３】同容器本体に袋をセットした後容器本体に蓋体を取り付けた状態を示す正面図である。
【図４】同縦断面図である。
【図５】本発明の第２実施例において容器本体に袋を入れる前の状態を示す斜視図である。
【図６】同容器本体に袋をセットした後容器本体に蓋体を被せた状態を示す正面図である。
【図７】同縦断面図である。
【符号の説明】
１            袋
２            封止部
３            底部
３ａ          未延伸ナイロンフイルム
３ｂ          未延伸ポリオレフィン系フイルム
４            容器本体
５            蓋体
６            流動体取り出し部材
７            チューブ
７ａ，７ｂ    チューブ
８            押し下げ部
９            小孔
【図１】
0003558389.tif 000002
【図２】
0003558389.tif 000003
【図３】
0003558389.tif 000004
【図４】
0003558389.tif 000005
【図５】
0003558389.tif 000006
【図６】
0003558389.tif 000007
【図７】
0003558389.tif 000008